(57)【特許請求の範囲】
【請求項１】
精算ラインに投入された硬貨袋に、金種毎に予め設定された所定枚数の硬貨を収納して該硬貨袋の入口を封緘具で施封するとともに、該封緘具で施封された硬貨袋の検査を行う硬貨精算処理システムにおいて、
硬貨袋の基準重量が金種別に予め記憶された記憶手段と、
前記精算ラインに設けられ施封済みの硬貨袋を計量する計量手段と、
前記封緘具に設けられて硬貨袋に収納された金種の情報を少なくとも記憶し、送信要求にしたがって金種の情報を送信するＲＦＩＤと、
該ＲＦＩＤに対して送信要求を行うとともに、前記ＲＦＩＤから送信された情報を受信するＲＦＩＤリーダと、
該ＲＦＩＤリーダで受信した情報に基づいて前記記憶手段に記憶された金種別の基準重量を特定し、この特定された基準重量と、硬貨袋の前記計量手段で計量した実重量とを比較して異常の有無を判定する検査手段とを備え、
前記ＲＦＩＤが前記封緘具に設けられていることを特徴とする硬貨精算処理システム。
【請求項２】
前記検査手段の検査結果に基づいて、異常がないと判定された硬貨袋を予め設定された所定のグループ毎に振り分けるとともに、異常があると判定された硬貨袋を前記精算ラインから排除する振り分け手段を備えることを特徴とする請求項１に記載の硬貨精算処理システム。
【請求項３】
硬貨袋の前記収納された金種の情報に加えて、作成日時および硬貨袋を作成した精算ラインの識別情報を少なくとも含んだ作成情報と、前記ＲＦＩＤ毎に割り振られた識別コードとを関連付けて記憶可能な作成情報記憶手段を備えることを特徴とする請求項１又は２に記載の硬貨精算処理システム。
【請求項４】
前記ＲＦＩＤは、硬貨袋の前記収納された金種の情報に加えて、作成日時および硬貨袋を作成した精算ラインの識別情報を少なくとも含む作成情報が記憶可能に構成されていることを特徴とする請求項１乃至３の何れか一項に記載の硬貨精算処理システム。
【発明の詳細な説明】
【技術分野】
【０００１】
この発明は、所定金種の硬貨が所定枚数だけ収納された硬貨袋を作成するとともに、他の金種の硬貨袋と区分して搬出可能な硬貨精算処理システムに関するものである。
【背景技術】
【０００２】
従来から、所定の枚数のバラ硬貨を袋詰めした硬貨袋を精算ラインで作成する硬貨精算処理システムが知られている。この硬貨精算処理システムでは、作成された硬貨袋を計量して、この計量結果と、予め正しい硬貨袋の重量として記憶してある金種毎のマスタデータ（基準重量）とを比較して、硬貨袋に収納されている金種および枚数を検査するようになっている（例えば、特許文献１参照）。そして、この検査の結果、不良と判定された場合には、該当する硬貨袋を精算ラインから排除させたり、異常アラームを発報して精算ラインを停止させるようになっている。
【０００３】
ところで、上述の硬貨精算処理システムでは、硬貨袋の入口が作業者の監視の下で封緘具により施封される。この封緘具は、金種、金額、作成日および配送先が記載され金種に応じた指定色の帯が付された札部と、この札部に形成された孔に通されて硬貨袋の口部に２重以上に巻きつけられる紐部と、硬貨袋に巻きつけられた紐部を固定する再利用できないタック部とで構成されており、この封緘具によって硬貨袋の口部を施封すると紐部を切断したりタック部を破壊しない限り硬貨袋が開口しないようになっている。すなわち、封緘具が取り付けられた硬貨袋は封緘具で施封されている限りその中身が保証されることとなる。
【０００４】
また、封緘具により施封された硬貨袋内には金種毎に予め定められた枚数の硬貨が収納されているため、収納されている金種が同一であれば硬貨袋の重量が略同一となり、また、金種が異なればその重量に差異が生じることとなる。そのため、作業者は、硬貨袋を出荷検査する際に、封緘具の札の指定色を確認し、この指定色に対応した金種ボタンを選択操作して、計量時のマスタデータの切換えを行うようになっている。
【特許文献１】特許第２７５６８９３号公報
【発明の開示】
【発明が解決しようとする課題】
【０００５】
しかしながら、上述の硬貨精算処理システムでは、作業者が封緘具の札部を目視して手動で金種ボタンを操作して硬貨袋の検査を行っているため、作業者が誤って違う金種のボタンを押してしまう虞がある。そのため、硬貨袋の計量結果がマスタデータと一致せず、不良と判断されて硬貨袋が精算ラインから排除されたり、精算ラインが停止してしまい、作業者の負担が増大するという課題がある。
【０００６】
また、例えば、１０円の硬貨袋に誤って１００円と表記された札を有した封緘具を取り付けてしまい、さらに検査を行う際に封緘具の札部に表記された１００円の金種ボタンを選択しなければならないところ１０円の金種ボタンを誤って操作してしまうなど、作業者による２重のミスが発生した場合、硬貨袋に収納された金種と封緘具の札部に記載された金種とが不一致にもかかわらず、硬貨袋が検査をパスしてしまう虞がある。
【０００７】
そこで、この発明は、作業者の負担を軽減するとともに、出荷される硬貨袋の品質向上を図ることができる硬貨精算処理システムを提供するものである。
【課題を解決するための手段】
【０００８】
上記の課題を解決するために、請求項１に記載した発明は、精算ライン（例えば、実施の形態における精算ラインＬ１）に投入された硬貨袋（例えば、実施の形態における硬貨袋ＭＢ）に、金種毎に予め設定された所定枚数の硬貨を収納して該硬貨袋の入口（例えば、実施の形態における口部５０）を封緘具（例えば、実施の形態における封緘具４０）で施封するとともに、該封緘具で施封された硬貨袋の検査を行う硬貨精算処理システムにおいて、硬貨袋の基準重量が金種別に予め記憶された記憶手段（例えば、実施の形態における記憶部６１）と、前記精算ラインに設けられ施封済みの硬貨袋を計量する計量手段（例えば、実施の形態における重量計１０）と、前記封緘具に設けられて硬貨袋に収納された金種の情報を少なくとも記憶し、送信要求にしたがって金種の情報を送信するＲＦＩＤ（例えば、実施の形態におけるＲＦＩＤチップ４４）と、該ＲＦＩＤに対して送信要求を行うとともに、前記ＲＦＩＤから送信された情報を受信するＲＦＩＤリーダ（例えば、実施の形態におけるＲＦＩＤリーダ６０）と、該ＲＦＩＤリーダで受信した情報に基づいて前記記憶手段に記憶された金種別の基準重量を特定し、この特定された基準重量と、硬貨袋の前記計量手段で計量した実重量とを比較して異常の有無を判定する検査手段（例えば、実施の形態における重量比較部６２）とを備えることを特徴とする。
【０００９】
請求項２に記載した発明は、請求項１に記載の発明において、前記検査手段の検査結果に基づいて、異常がないと判定された硬貨袋を予め設定された所定のグループ毎に振り分けるとともに、異常があると判定された硬貨袋を前記精算ラインから排除する振り分け手段（例えば、実施の形態における振分部２０，２１）を備えることを特徴とする。
【００１０】
請求項３に記載した発明は、請求項１又は２に記載の発明において、硬貨袋の前記収納された金種の情報に加えて、作成日時および硬貨袋を作成した精算ラインの識別情報を少なくとも含んだ作成情報と、前記ＲＦＩＤ毎に割り振られた識別コードとを関連付けて記憶可能な作成情報記憶手段（例えば、実施の形態における作成情報データベース７０）を備えることを特徴とする。
【００１１】
請求項４に記載した発明は、請求項１乃至３の何れか一項に記載の発明において、前記ＲＦＩＤは、硬貨袋の前記収納された金種の情報に加えて、作成日時および硬貨袋を作成した精算ラインの識別情報を少なくとも含む作成情報が記憶可能に構成されていることを特徴とする。
【発明の効果】
【００１２】
請求項１に記載した発明によれば、硬貨袋に取り付けられた封緘具のＲＦＩＤに記憶されている金種情報をＲＦＩＤリーダで受信して、この金種情報に基づいて記憶手段に記憶されている金種別の基準重量を特定し、この金種別の基準重量と計量手段で計量された硬貨袋の計量結果とを検査手段で比較して異常の有無を判定することができるため、従来の硬貨精算処理システムのように作業者による金種選択の誤りが生じるのを防止することができる。したがって、正常である硬貨袋が異常と判定されて精算ラインから排除されたり、精算ラインが停止したりするのを防止して作業者の負担を軽減することができるとともに、異常であるはずの硬貨袋が正常と判定されて出荷検査をパスしまうのを防止して硬貨袋の品質向上を図ることができる効果がある。
【００１３】
請求項２に記載した発明によれば、検査手段で異常がないと判定された硬貨袋を振り分け手段によって、例えば金種別など、予め設定された所定のグループに振り分けることができ、また、検査手段で異常があると判定された硬貨袋を精算ラインから排除することができるため、作業者の負担をさらに軽減することができる効果がある。
【００１４】
請求項３に記載した発明によれば、仮に、客先等に配送された硬貨袋に、異物や金種の異なる硬貨が混入していた場合に、当該硬貨袋に取り付けられている封緘具のＲＦＩＤの識別コードに基づいて、作成情報記憶手段に記憶された硬貨袋の作成日時、および、硬貨袋を作成した精算ラインの識別情報等の作成情報を特定できるため、追跡調査が可能となり、したがって、更なる信頼性の向上を図ることができる効果がある。
【００１５】
請求項４に記載した発明によれば、仮に、客先等に配送された硬貨袋に、異物や金種の異なる硬貨が混入していた場合に、当該硬貨袋に取り付けられている封緘具のＲＦＩＤに記憶されている硬貨袋の作成日時、および、硬貨袋を作成した精算ラインの識別情報等の作成情報に基づいて、追跡調査が可能となるため、更なる信頼性の向上を図ることができる効果がある。
【発明を実施するための最良の形態】
【００１６】
次に、この発明の第１の実施の形態を、図面を参照しながら説明する。
図１に示すように、この発明の実施の形態の硬貨精算システムＳ１は、主として精算ラインＬ１と計量ラインＬ２と振分ラインＬ３とで構成されている。
精算ラインＬ１においては、搬入されたバラ硬貨を硬貨受領部１において受け取り、バケットコンベア２により搬送し、シュート４を経由して、管理ＰＣ３により予めバッチ計数処理として取扱金種の指定および取扱い枚数の指定がなされている所定の硬貨計数機５Ａ〜５Ｅに投入されて計数処理がなされる。引き続いて計数された硬貨は、封緘機６により麻や化学繊維等の袋に袋詰処理され、金種別に区分けされた封緘具により封緘され、硬貨袋ＭＢとして作成される。なお、封緘の際には、一般的には操作者がマニュアル操作により、袋の口部５０に封緘具をはめて封緘機６に挿入して封緘する仕組みとなっている。
【００１７】
封緘された硬貨袋ＭＢは、いわゆる大袋と呼ばれているものであり、金種毎に定められた所定枚数の硬貨が収納される。その具体例としては、例えば、１円硬貨を５千枚（重量５ｋｇ）、５，１０，５０，１００円硬貨を４千枚（重量５円−１５ｋｇ，１０円−１８ｋｇ，５０円−１６ｋｇ，１００円−１９．２ｋｇ）、５００円硬貨を２千枚（重量１４．４ｋｇ）が収納可能に構成され、封緘後に硬貨袋ＭＢは共通のベルトコンベア８により搬送されて後続の計量ラインＬ２に供給される。
【００１８】
図２，３に示すように、封緘具４０は、丈夫な紐部４１と樹脂製のタック部４２と文字情報が印字された札部４３の３点で構成されている。この封緘具４０は、硬貨袋ＭＢの口部５０を封緘する際に、容易に開口できないように、硬貨袋ＭＢの口部５０に札部４３を配置してその周囲に紐部４１を２重以上に巻回して固く締付け、その後にこの紐部４１にタック部４２を取り付けて施封する。また、封緘具４０の札部４３には、一般的に、硬貨袋ＭＢ内の硬貨の金種情報と金額（枚数）情報、硬貨の正貨・損貨情報、および、配送先金融機関名等の情報が印字されており、さらに、札部４３の左右両側の縁部分には、金種毎に定められた指定色が帯状に付されている。ここで、金種毎の指定色としては、例えば、日本銀行の指定色があり、５００円貨：桃色、１００円貨：黄色、５０円貨：赤色、１０円貨：緑色、５円貨：紫色、１円貨：白無地となっている。すなわち、札部４３を視認することで、硬貨袋ＭＢに収納されている硬貨の金種等が認識できる。
【００１９】
また、図４に示すように、封緘具４０のタック部４２には、それぞれＲＦＩＤ（Radio Frequency IDentification）チップ４４が埋め込まれている。このＲＦＩＤチップ４４は、メモリ部４５とアンテナ部４６とを備えており、ＲＦＩＤリーダ６０（図５参照）から所定の電波を受信すると起動してメモリ部４５に記憶されている情報をＲＦＩＤリーダ６０に向けて無線により送信する。ＲＦＩＤチップ４４のメモリ部４５には、硬貨袋ＭＢ内に収納されている硬貨の金種と一致する金種情報がコード化されて記憶されており、例えば金種毎のコードとして、１円：コード「１」、５円：コード「２」、１０円：コード「３」、５０円：コード「４」、１００円：コード「５」、５００円：コード「６」がそれぞれ割り振られる。なお、金種情報のコード体系に関しては特に制限は無く、金種の判別ができるものであれば、例えば、ＢＣＤコードでもＨＥＸコードでもフリーのコードであってもよい。
【００２０】
図１に示すように、計量ラインＬ２は、精算ラインＬ１で作成された硬貨袋ＭＢの重量に異常があるか否かを判定して出荷検査を行うために、ベルトコンベア８で搬送される硬貨袋ＭＢの実重量を重量計量台１１上で計量する重量計１０を備えている。この重量計１０で計量された硬貨袋ＭＢの実重量の情報は、管理ＰＣ３に送信されるようになっている。ここで、硬貨袋ＭＢの重量は金種毎に明らかな差異が生じるため、管理ＰＣ３により重量計１０で計量された硬貨袋ＭＢの実重量と、それぞれの金種の基準重量とが比較されて異常の有無が判定される。
【００２１】
また計量ラインＬ２は、図５に示すように、ＲＦＩＤリーダ６０を備えている。
ＲＦＩＤリーダ６０は、硬貨袋ＭＢに取り付けられた封緘具４０のタック部４２に埋設されているＲＦＩＤチップ４４に対して無線により情報送信要求を行い、受信した金種の情報を管理ＰＣ３に送信する。なお、ＲＦＩＤリーダ６０は、図５に示すように、重量計１０で計量を行う対象となる硬貨袋ＭＢの一つのみと無線通信が行われるように、ＲＦＩＤリーダ６０の配置及びまたはその指向性などが考慮されている。
【００２２】
管理ＰＣ３は、精算ラインＬ１、計量ラインＬ２、および、振分けラインＬ３における種々の制御や様々な情報管理を行うものであり、記憶部６１と重量比較部６２とを備えている。
記憶部６１は、金種毎の硬貨袋ＭＢの基準重量がマスタデータとして予め記憶されるものであり、重量比較部６２からの送信要求に基づいて金種別の基準重量の情報を重量比較部６２に送信する。
【００２３】
ここで、上記の基準重量は、金種別の硬貨のみの総重量に袋と封緘具の重量を加算し、さらに所定の裕度（マージン）を設定したものである。この所定の裕度は、例えば、袋詰めされる正規の硬貨に対する流通過程で摩耗等による重量低下や、手垢やごみ類の付着による重量増加など、正規の硬貨であっても変動しうる重量の範囲を定めたものである。その一例として１０円硬貨袋の基準重量の場合、１０円硬貨４千枚の正規の重量である１８ｋｇと、使用される袋および封緘具の重量（例えば、０．４ｋｇ）とを加算した１８．４ｋｇが正規の１０円硬貨袋の重量となるが、これに、正規の１０円硬貨袋に生じうる重量変動として±０．１ｋｇ、つまり１８．３ｋｇ以上で且つ１８．５ｋｇ以下の範囲が裕度として設定される。
【００２４】
重量比較部６２は、ＲＦＩＤリーダ６０から受信した金種の情報に対応する基準重量の情報送信要求を記憶部６１に対して行い記憶部６１から基準重量の情報を受信するとともに、計量した硬貨袋ＭＢの実重量の情報を重量計１０から受信するようになっている。重量比較部６２は、受信した実重量の情報と基準重量の情報とに基づいて、重量計１０で計量された硬貨袋ＭＢの実重量が、記憶部６１に記憶されている基準重量の裕度内に収まっているか否かを判定し、実重量が基準重量の裕度内に無いと判定した場合、報知部６３を制御して異常が発生した旨を報知させる。他方、重量計で計量された硬貨袋ＭＢの実重量が基準重量の裕度内にあると判定した場合には、当該硬貨袋ＭＢの金種情報を、振分ラインＬ３の振分部２０，２１に送信し、振分部２０，２１で、例えば金種の共通する硬貨袋ＭＢを、他の金種の硬貨袋ＭＢと区別して、それぞれ専用の受台２２Ａ〜２２Ｃ上に搬出させる。
【００２５】
振分けラインＬ３（図１参照）は、上述した重量比較部６２で正常と判定された硬貨袋ＭＢを、重量比較部６２から受信した金種情報に基づいて振分けるものであり、例えば、振分部２０をＯＮとして１０円硬貨が収納された硬貨袋ＭＢを受台２２Ａ上に搬出し、又５０円硬貨については、振分部２０をＯＦＦとし、振分部２１のみをＯＮとすることにより受台２２Ｂ上に搬出させ、更には、各振分部２０および２１をいずれもＯＦＦとなして受台２２Ｃ上に前記以外の金種の硬貨袋ＭＢを搬出させる。なお、振分方法は上記のものに限定されるものではなく、必要に応じて、６金種毎にそれぞれを別々に振分けて異なる受台上に搬出させてもよい。また、振分けラインＬ３は、重量比較部６２で異常と判定された硬貨袋ＭＢを図示略の排除手段により排除する。
【００２６】
ここで、振分けラインＬ３による硬貨袋ＭＢの振分けは、金種別に６種に振り分けるのが一般的であるが、管理ＰＣ３の図示しない制御部による設定変更次第で任意の金種グループに振分け可能になっている。その一例として、１０円硬貨袋、５０円硬貨袋、および、その他の硬貨袋、という３種のグループに振り分けすることが可能である。また、振分けラインＬ３の何れかの振分部を、異常と判定された硬貨袋ＭＢの排除用に用いるように設定しても良い。
【００２７】
したがって、上述した第１の実施の形態によれば、硬貨袋ＭＢに取り付けられた封緘具４０のＲＦＩＤチップ４４に記憶されている金種の情報をＲＦＩＤリーダ６０で受信して、この金種の情報に基づいて記憶部６１に記憶されている金種別の基準重量を特定し、この金種別の基準重量の情報と重量計１０で計量された硬貨袋ＭＢの実重量とを重量比較部６２で比較して異常か否かを判定することができるため、従来の硬貨精算処理システムのように作業者による金種選択の誤りが生じるのを防止することができ、この結果、正常である硬貨袋ＭＢが異常と判定されて排除されたり、精算ラインＬ１が停止したりするのを防止して作業者の負担を軽減することができるとともに、異常であるはずの硬貨袋ＭＢが正常と判定されて出荷検査をパスしまうのを防止して硬貨袋ＭＢの品質向上を図ることができる。
【００２８】
また、重量比較部６２で正常と判定された硬貨袋ＭＢを振分けラインＬ３によって、金種別など、予め設定された所定のグループに振り分けることができ、また、重量比較部６２で異常があると判定された硬貨袋ＭＢを排除することが可能であるため、作業者の負担をさらに軽減することができる。
【００２９】
なお、上記実施の形態では振分部２０，２１を設けてある場合について説明したが、振分部は２個に限られるものではなく、例えば、４個や５個であってもよい。そして、振分部の個数をＮ個とした場合、硬貨袋ＭＢを最大でＮ＋１種に振り分けることが可能となる。
【００３０】
次に、この発明の第２の実施の形態を、図６を参照しながら説明する。この第２の実施の形態は、上述した第１の実施の形態の構成に、トレーサビリティの機能を付加するべく硬貨袋ＭＢの作成情報を管理する構成を加えたものであり、第１の実施の形態と同一部分に同一符号を付して説明する。
【００３１】
図６に示すように、この第２の実施の形態の硬貨精算処理システムは、重量比較部６２と記憶部６１と、作成情報ＤＢ（データベース）７０とを有した管理ＰＣ３を備えている。なお、重量比較部６２および記憶部６１は上述した第１の実施の形態と同様の構成であるため詳細説明を省略する。
【００３２】
硬貨袋ＭＢの封緘具４０のＲＦＩＤチップ４４には、予め識別コードとして使用される個別の連番コードが記憶されており、硬貨袋ＭＢに封緘具４０を取り付けることで、硬貨袋ＭＢには個別の連番コードが割り振られることとなる。
ＲＦＩＤリーダ６０は、硬貨袋ＭＢを施封している封緘具４０のＲＦＩＤチップ４４に記憶された連番コードの情報を受信するものであり、このＲＦＩＤリーダ６０で受信した連番コードの情報は管理ＰＣ３に送信される。ここで、連番コードは、例えば「１００００００００１」という１０桁のコードなどで構成される。なお、連番コードに限られず、ランダムな乱数コードであってもよい。また、コードの体系に制限は無くＢＣＤコードやＨＥＸコード、フリーのコードであってもよい。
【００３３】
作成情報ＤＢ７０は、ＲＦＩＤリーダ６０で受信した連番コードと、硬貨袋ＭＢの作成情報とを関連付けて記憶するデータベースである。ここで、硬貨袋ＭＢの作成情報とは、第１の実施の形態で説明した金種情報に加えて、例えば、時計７２の出力に基づいて設定される硬貨袋ＭＢの作成日時「平成１９年１０月２４日１７時２３分」、硬貨袋ＭＢが作成された作成場所「○○銀行ビジネスセンター」、硬貨袋ＭＢが作成された精算ライン「Ｎｏ．２硬貨精算処理システムＳ２」、重量比較部６２の判定結果「正常」、硬貨袋ＭＢの配送先の情報「○○銀行○○支店」等の各情報が含まれたものである。
【００３４】
すなわち、精算ラインＬ１で作成された硬貨袋ＭＢの封緘具４０には、硬貨袋ＭＢ内に収納されている硬貨の金種を表す金種情報に加えて、連番コードが記憶されたＲＦＩＤチップ４４が取り付けられ、このＲＦＩＤチップに記憶されている金種情報と連番コードの情報とをＲＦＩＤリーダ６０で受信して作成情報ＤＢに送信することで、作成情報ＤＢで連番コードに作成情報が関連付けられて記憶される。つまり、これら連番コードと作成情報とが関連付けられた情報が硬貨袋ＭＢの作成履歴として保存されることとなる。
【００３５】
したがって、上述した第２の実施の形態によれば、仮に、客先等に配送された硬貨袋ＭＢに、異物や金種の異なる硬貨が混入していた場合に、この硬貨袋ＭＢに取り付けられている封緘具４０のＲＦＩＤチップ４４に記憶されている連番コードに基づいて、作成情報ＤＢ７０に記憶されている硬貨袋ＭＢに収納されている硬貨の金種、硬貨袋ＭＢの作成日時、および、硬貨袋ＭＢを作成した作成場所、精算ライン等の作成情報を特定できるため、追跡調査が可能となり、この結果、更なる信頼性の向上を図ることができる。
【００３６】
なお、上述した第２の実施の形態では、計量ラインＬ２に設けてあるＲＦＩＤリーダ６０を流用する場合について説明したが、精算ラインＬ１の各封緘機６の近傍に隣設してＲＦＩＤリーダを設けてもよい。この場合、封緘機６が金種別に設けられているため、封緘機６の近傍にＲＦＩＤリーダを隣設することで、連番コードを受信したＲＦＩＤリーダがどのＲＦＩＤリーダであるかを判定するだけでＲＦＩＤチップ４４が取り付けられている硬貨袋ＭＢの金種を判別できることとなる。そのため、連番コードを受信したＲＦＩＤリーダの識別情報に基づいて硬貨袋ＭＢの金種を判別し、この金種の情報を連番コードに関連付けて作成情報ＤＢ７０に記憶させることができる。この場合、重量計１０では、重量計１０に設けられているＲＦＩＤリーダ６０により受信したＲＦＩＤチップ４４の連番コードに基づいて作成情報ＤＢ７０から当該連番コードに関連付けられて記憶されている金種の情報を呼び出して出荷検査を行うことができる。また、出荷検査の際には、重量計１０に設けられているＲＦＩＤリーダ６０により受信されることによって、重量比較部６２の判定結果「正常」の情報も当該連番コードに追加して作成情報ＤＢ７０に関連付けられて記憶される。
【００３７】
次に、第２の実施の形態の変形例を、図７を参照しながら説明する。この第２の実施の形態の変形例では、管理ＰＣ３の作成情報ＤＢ７０に記憶させていた作成情報をＲＦＩＤチップ４４のメモリ部４５に記憶させるように構成したものであり、封緘機６の近傍に配設されたＲＦＩＤリーダに換えて、封緘機６の近傍にそれぞれＲＦＩＤライタ８０を設けている。
【００３８】
ＲＦＩＤライタ８０は、封緘具４０に設けられたＲＦＩＤチップ４４のメモリ部４５に無線を介して所定の情報を書き込むものであり、封緘機６の近傍、より具体的には封緘機６で施封された硬貨袋ＭＢのＲＦＩＤチップ４４に情報を書き込むために各封緘機６の下流側に個別に設置されている。つまり、ＲＦＩＤライタ８０は、金種毎の硬貨計数機毎に設置される封緘機６の近傍に個別に設けられているため、同一のＲＦＩＤライタ８０から書き込まれる金種情報は常に同一の金種情報となる。あるいは、硬貨計数機の設定金種に連動する。
【００３９】
また、ＲＦＩＤライタ８０は、ライタ制御部８１に接続されている。
ライタ制御部８１は、日時を計測する時計７２などの出力情報や、ＲＦＩＤライタ８０毎に予め設定されている金種の情報に基づいて硬貨袋ＭＢの作成情報を生成してこの作成情報をＲＦＩＤチップ４４に書き込むべく、ＲＦＩＤライタ８０の駆動制御を行うものである。ここで、硬貨袋ＭＢの作成情報は、硬貨袋ＭＢの作成日時、作成場所、作成した精算ライン、金種、などの情報がコード化されたものである。なお、ライタ制御部８１は、管理ＰＣ３内に設けてもよいし、ＲＦＩＤライタ８０の近傍に管理ＰＣ３とは分離して設けるようにしてもよい。
【００４０】
すなわち、精算ラインＬ１の封緘機６の近傍に設けられたＲＦＩＤライタ８０により、硬貨袋ＭＢを施封している封緘具４０のＲＦＩＤチップ４４に対して、硬貨袋ＭＢに収納された硬貨の金種、作成場所、作成した精算ライン、配送先等の情報を含む作成情報をコード化して書き込むことができるため、とりわけ、管理ＰＣ３の作成情報ＤＢを参照することなしに、封緘具４０の各ＲＦＩＤチップ４４の記憶情報を呼び出すだけで、硬貨袋ＭＢを作成した作成場所、精算ライン等の作成情報を特定できるため、データベースを設けることなく異常が発生した原因を追跡調査することが可能となる。
【００４１】
なお、上述した第２の実施の形態およびその変形例では、作成情報ＤＢ７０又はＲＦＩＤチップ４４に硬貨袋ＭＢの作成情報を記憶させる構成としたが、作成情報ＤＢ７０とＲＦＩＤチップ４４との両方に作成情報を記憶させるように構成してもよい。
【図面の簡単な説明】
【００４２】
【図１】本発明の第１の実施の形態における硬貨精算処理システムの全体外観図である。
【図２】本発明の第１の実施の形態における封緘具の正面図である。
【図３】本発明の第１の実施の形態における硬貨袋の正面図ある。
【図４】本発明の第１の実施の形態におけるタック部の概略構成図である。
【図５】本発明の第１の実施の形態における硬貨袋の検査に係る概略構成を示す構成図である。
【図６】本発明の第２の実施の形態における硬貨袋の作成情報を記憶する構成を示すブロック図である。
【図７】本発明の第２の実施の形態の変形例におけるＲＦＩＤライタとその周囲の構成を示すブロック図である。
【符号の説明】
【００４３】
Ｌ１  精算ライン
ＭＢ  硬貨袋
１０  重量計（計量手段）
２０，２１  振分部
４０  封緘具
４４  ＲＦＩＤチップ（ＲＦＩＤ）
５０  口部（口）
６０  ＲＦＩＤリーダ
６１  記憶部（記憶手段）
６２  重量比較部（検査手段）
７０  作成情報データベース（作成情報記憶手段）
【図１】
0005124253.tif 000002
【図２】
0005124253.tif 000003
【図３】
0005124253.tif 000004
【図４】
0005124253.tif 000005
【図５】
0005124253.tif 000006
【図６】
0005124253.tif 000007
【図７】
0005124253.tif 000008